(57)【要約】      （修正有）【課題】ユーザーが激しい動きをした時でも確実に携帯電話の落下を防止することができ、重量感や違和感を感じること無く身体（衣服）にしっかりと取り付け可能で、携帯電話からの電磁波の身体への影響を最小にすることができ、ユーザーの衣服にポケットが無い場合でも装着可能であり、且つファッション性をも兼ね備えた携帯電話用ストラップ及びそれをを使用した携帯電話の身体（衣服）装着方法を提供する。【解決手段】携帯電話に、先端又はその近傍に約１０ｍｍ以上で且つ約３０ｍｍ以下の厚さを有する抜け防止具を備えたストラップを取り付けておき、前記抜け防止具を、ユーザーがズボン又はスカートに装着しているベルトの上方から、前記ベルトの下端部よりも下方に配置させることにより、前記抜け防止具が前記ベルトの下端部に引っ掛かって抜けないようにして携帯電話を身体に装着するようにした、ことを特徴とする携帯電話の身体装着方法である。【選択図】    図１
2004350898.tif 000002
【特許請求の範囲】
【請求項１】
携帯電話に、先端又はその近傍に約１０ｍｍ以上で且つ約３０ｍｍ以下の厚さを有する抜け防止具を備えたストラップを取り付けておき、
前記抜け防止具を、ユーザーがズボン又はスカートに装着しているベルトの上方から、前記ベルトとズボン又はスカートとの間の隙間に差し込んで、さらに、前記ベルトの下端部よりも下方に配置させることにより、
前記抜け防止具が前記ベルトの下端部に引っ掛かって容易に抜けないことを利用して携帯電話を身体に装着するようにした、ことを特徴とする、携帯電話の身体装着方法。
【請求項２】
携帯電話に、先端又はその近傍に約１０ｍｍ以上で且つ約３０ｍｍ以下の厚さを有する抜け防止具を備えたストラップを取り付けておき、
前記抜け防止具を、ユーザーがズボン又はスカートの上端部の上方から、前記ズボン又はスカートの上端部とユーザーの身体側との間の隙間に差し込んで、さらに、前記ズボン又はスカートの上端部よりも下方に配置させることにより、
前記抜け防止具が前記ズボン又はスカートの上端部に引っ掛かって容易に抜けないことを利用して携帯電話を身体に装着するようにした、ことを特徴とする、携帯電話の身体装着方法。
【請求項３】
請求項１又は２の携帯電話の身体装着方法のために使用する携帯電話用ストラップであって、ストラップの先端又はその近傍に、約１０ｍｍ以上で且つ約３０ｍｍ以下の厚さを有する抜け防止具を備えたことを特徴とする携帯電話用ストラップ。
【請求項４】
携帯電話に取り付けて使用するストラップであって、ストラップの先端又はその近傍に、約１０ｍｍ以上で且つ約３０ｍｍ以下の厚さを有する抜け防止具を備えたことを特徴とする携帯電話用ストラップ。
【請求項５】
請求項３又は４において、前記抜け防止具は球状に形成されている、ことを特徴とする携帯電話用ストラップ。
【請求項６】
請求項３又は４において、前記抜け防止具は多面体形状に形成されている、ことを特徴とする携帯電話用ストラップ。
【請求項７】
請求項３又は４において、前記抜け防止具は断面が略楕円形状の略ラグビーボール状に形成されている、ことを特徴とする携帯電話用ストラップ。
【発明の詳細な説明】
【０００１】
【発明の属する技術分野】
本発明は、携帯電話をユーザーの身体に容易に且つ確実に装着することを可能にする携帯電話用ストラップ及び携帯電話の身体装着方法に関する。
【０００２】
【従来の技術】
従来より、携帯電話用ストラップが多数市販されているが、そのほとんどは、単なる飾りやおまじないを備えたものばかりである。携帯電話を衣服などに取り付けるためにストラップを利用するものとしては、例えば、ポケットの縁などに引っ掛けるクリップ又はフックを備えた携帯電話用ストラップが知られている（例えば、特許文献１参照）。
【特許文献１】
特開２０００−３３３７１８号公報
【０００３】
【発明が解決しようとする課題】
しかしながら、（１）前記の特許文献１などで提案されているクリップ又はフックを備えた携帯電話用ストラップでは、ユーザーが激しい動作を行うときなどにはクリップ又はフックが容易に外れてしまい、携帯電話が容易に抜け落ちてしまうという不都合があった（携帯電話が落下してしまうと、小型コンピューターとしての携帯電話が破壊されて、内蔵する貴重なデータが失われてしまい、取り返しがつかないことになってしまっていた）。
【０００４】
（２）また、前記の特許文献１などで提案されているクリップ又はフックを備えた携帯電話用ストラップでは、携帯電話を使用しないときは胸ポケットや横腹の位置のポケットに入れておくようにしているが、携帯電話をこのようなポケットに入れていると、ユーザーがその重量感や違和感を感じてしまい、何かと邪魔になっていた。また、特に、携帯電話を胸ポケットに入れる場合は、携帯電話からの電磁波がユーザーの心臓の近傍で発せられるので、心臓に疾患のある人にとっては健康上の心配があった。また、そもそもユーザーが着ている衣服にポケットが無い場合は利用することができなかった。
【０００５】
（３）さらに、前記の特許文献１などで提案されているクリップ又はフックを備えた携帯電話用ストラップでは、クリップ又はフックそれ自体にファッション性に欠けた野暮ったさがあり、万人向きではなかった。すなわち、前記のクリップ又はフックは、如何にも道具的な形状で、到底、若者や女性層に好まれるものではなかった。
【０００６】
以上のように、従来の携帯電話用ストラップの中には、ユーザーが激しい動きをしたときでも確実に携帯電話の落下を防止することができ、重量感や違和感を感じること無く身体（衣服）にしっかりと取り付け可能で、携帯電話からの電磁波の悪影響を最小にすることができ、ユーザーの衣服にポケットが無い場合でも装着可能であり、且つファッション性をも兼ね備えたものは、存在していなかった。
【０００７】
本発明はこのような従来技術の課題に着目してなされたものであって、ユーザーが激しい動きをしたときでも確実に携帯電話の落下を防止することができ、重量感や違和感を感じること無く身体（衣服）にしっかりと取り付け可能で、携帯電話からの電磁波の身体への影響を最小にすることができ、ユーザーの衣服にポケットが無い場合でも装着可能であり、且つファッション性をも兼ね備えた携帯電話用ストラップ及びこのようなストラップを使用した携帯電話の身体（衣服）装着方法を提供することを目的とするものである。
【０００８】
【課題を解決するための手段】
このような従来技術の課題を解決するための本発明による携帯電話の身体装着方法は、携帯電話に、先端又はその近傍に約１０ｍｍ以上で且つ約３０ｍｍ以下の厚さを有する抜け防止具を備えたストラップを取り付けておき、前記抜け防止具を、ユーザーがズボン又はスカートに装着しているベルトの上方から、前記ベルトとズボン又はスカートとの間の隙間に通して、さらに、前記ベルトの下端部よりも下方に配置させることにより、前記抜け防止具が前記ベルトの下端部に引っ掛かって抜けないようにして携帯電話を身体に装着するようにした、ことを特徴とするものである。
【０００９】
また、本発明の携帯電話の身体装着方法は、携帯電話に、先端又はその近傍に約１０ｍｍ以上で且つ約３０ｍｍ以下の厚さを有する抜け防止具を備えたストラップを取り付けておき、前記抜け防止具を、ユーザーがズボン又はスカートの上端部の上方から、前記ズボン又はスカートの上端部とユーザーの身体側（下着などの衣服を含む）との間の隙間に通して、さらに、前記ズボン又はスカートの上端部よりも下方に配置させることにより、前記抜け防止具が前記ズボン又はスカートの上端部に引っ掛かって抜けないようにして携帯電話を身体に装着するようにした、ことを特徴とするものである。
【００１０】
また、本発明の携帯電話用ストラップは、ストラップの先端又はその近傍に、約１０ｍｍ以上で且つ約３０ｍｍ以下（又は、約１５ｍｍ以上で且つ約２５ｍｍ以下）の厚さを有する抜け防止具を備えたことを特徴とするものである。
【００１１】
前記の携帯電話用ストラップに取り付けられる抜け防止具は、例えば、球状、多面体形状（例えば、８面体、１２面体、１６面体、１８面体など）、断面略ハート形状などに形成されている、ことが望ましい。
【００１２】
すなわち、本発明は、ユーザーが着ている衣服に入れ場所（ポケット）がない時やポケットに入れても重量感などで邪魔に感じる場合の対策として、携帯電話の接続部（ストラップ）に、約２０ｍｍ前後（又は約１０〜３０ｍｍ）の径（厚み）の石や木もしくはプラスチックなどの素材で出来た球状（又は、多面体形状、略ラグビーボール形状、略涙形状、断面ハート型形状など）の固体を、ズボンのベルトの内側の上部から下部に差し込んで、ベルトの下部の外側に引っ掛けて、ベルトの外側の上部から下部へ垂れ下がった携帯電話の重みと身体との圧力で、携帯電話がベルトから抜け落ちないように、又、身体に振動が伝わりやすいようにしたものである。
【００１３】
【発明の実施の形態】
以下、本発明の実施形態による携帯電話用ストラップの構成を説明する。図１は本実施形態による携帯電話用ストラップを携帯電話に取り付けるときの場面を示す図、図２は本実施形態のストラップを携帯電話に取り付けた状態を示す側面図、図３は本実施形態のストラップを携帯電話に取り付けた状態を示す背面図である。
【００１４】
図１−３において、１は携帯電話（本実施形態では折り畳み式の携帯電話を示しているが、折り畳み式でないものでもよい）である。また、２はストラップの本体を構成する紐（糸を二重にした紐）、３は紐２の先端の近傍に取り付けられた抜け防止具である。また、４及び５は紐２の途中部分に取り付けられた飾り、６は紐２の先端に取り付けられた飾りである。前記抜け防止具３は、例えばプラスチック製で、直径約２０ｍｍの球状（真球）に形成されている。この球状の抜け防止具３は、その中心に貫通穴が形成されており、この貫通穴に前記紐２が挿通されている。そして、抜け防止具３は、前記紐２の所定箇所（紐２の先端の近傍の位置）で動かないように配置されている（図示していないが、例えば、抜け防止具３の前と後ろに紐２の結び目（こぶ）を作っておくことなどにより、抜け防止具３が紐２の先端の近傍の所定位置からずれないようにしている）。
【００１５】
次に、図１−３で示す携帯電話用ストラップを使用した携帯電話１の身体装着方法を図４を参照して説明する。本実施形態のストラップを取り付けた携帯電話１を使用するユーザーは、自分が着用しているズボン７のベルト８の上方から、ベルト８とズボン７との間の隙間に、紐２の先端の飾り６、抜け防止具３、及び紐２を通して（差し込んで）、さらに、抜け防止具３をベルト８の下端部８ａの下方に配置させる。
【００１６】
この状態では、図４に示すように、抜け防止具３は、ベルト８の下端部８ａに引っ掛かかるため、その位置より上方に移動することが阻止されている。よって、携帯電話１は、抜け防止具３がベルト８の下端部８ａに引っ掛かって留められることにより、自重で下方に落下することが確実に防止される。
【００１７】
なお、本発明者の実験では、抜け防止具３の直径を約１０ｍｍよりも小さくしたときは、ベルト８の下端部８ａに抜け防止具３が引っ掛かる度合いが小さくなるため、ユーザーが激しい動きをしたときなどには、抜け防止具３がベルト８から抜け落ちてしまうことが少しだがあった。そのため、本実施形態の抜け防止具３の直径は約１０ｍｍ以上とすることが有益である。
【００１８】
また、図４の方法で携帯電話を身体（衣服）に装着しているときは、図示のように、携帯電話１はユーザーの腰の位置に配置されているので、携帯電話の着信のお知らせが音響やメロディではなくバイブレーションによる場合でも、ユーザーはその振動を腰の位置で敏感に感じ取ることができる。
【００１９】
また、図４の方法で携帯電話を身体（衣服）に装着しているユーザーが携帯電話を使用したいと欲するときは、抜け防止具３を自分の手で少し自分の身体の方に押してやりながら携帯電話１又は紐２を上方に引っ張り揚げると、抜け防止具３は容易にベルト８から上方に抜け出るので、容易に携帯電話１を手に持つことができる。
【００２０】
なお、本発明者の実験では、抜け防止具３の直径を約３０ｍｍよりも大きくしたときは、ベルト８の下端部８ａに抜け防止具３が引っ掛かる度合いが大きくなるため、ユーザーが抜け防止具３を自分の手で少し自分の身体の方に押してやりながら携帯電話１又は紐２を上方に引っ張り揚げようとしても、抜け防止具３がベルト８の下端部８ａに引っ掛かってしまい、携帯電話１を容易に取り出すことができなかった。そのため、本実施形態の抜け防止具３の直径は約３０ｍｍ以下とすることが有益である。
【００２１】
次に、本実施形態による携帯電話用ストラップの他の使用方法を図５を参照して説明する。図５の示す方法では、ユーザーは、ストラップの抜け防止具３を、「ベルト８とズボン７との間の隙間（図４参照）」ではなく、「ズボン７の上端部７ａと身体（身体の皮膚でもよいし、ズボン７の身体側に存在する下着を含む衣服でもよい）との間の隙間」に、差し込むようにしている。そして、この差し込んだ抜け防止具３を、さらに下方に持って行って、ズボン７の上端部７ａ（ベルト８を着用したときにベルト８の下端部８ａと対向する部分であって、ユーザーの腰の周りをある程度締め付けるようにしている部分）の位置よりも下方の位置に配置させるようにしている。
【００２２】
一般に、ズボン７の上端部７ａは、ズボン７がずり落ちないように、ズボン７の他の部分よりもその直径が狭く形成されている。すなわち、ズボン７の上端部７ａは、ユーザーの腰の部分をある程度締め付けるように構成されている。
【００２３】
したがって、ユーザーが、前記のように、本実施形態の抜け防止具３をズボン７の上端部７ａの内側（身体側）の下方に配置させたときは、携帯電話１の重量やユーザーの激しい動きなどにより抜け防止具３が図示上方に引っ張られたとしても、抜け防止具３は、前記ズボン７の上端部７ａ（ユーザーの腰を締め付けてズボン７がずり落ちないようにしている部分）に引っ掛かってそれよりも上方に移動することが阻止される。よって、この図５の場合でも、図４について前述したのと同様に、携帯電話１がその自重やユーザーの激しい動きなどにより落下してしまうことが、確実に防止される。
【００２４】
また、この図５の状態でも、図４について前述したのと同様に、携帯電話１はユーザーの腰の位置に配置されているので、携帯電話の着信のお知らせが音響やメロディではなくバイブレーションによる場合でも、ユーザーはそれを腰の位置で敏感に感じ取ることができる。
【００２５】
さらに、この図５の使用方法が図４と異なる点であるが、図４の方法はユーザーがベルト８を着用している場合でなければ適用できないが、図５の方法は、ユーザーがベルト８を着用していない場合でも、適用することができる（若者や女性の中には、ベルトを着用していない人も少なくない）。
【００２６】
なお、以上の図５の方法による場合に、ユーザーが携帯電話を使用するために手に取りたいと思うときは、図４の方法による場合と基本的に同様に、抜け防止具３をズボン７の布を介して身体側に少し押し付けながら、携帯電話１又は紐２を上方に引っ張り揚げる。すると、抜け防止具３は容易にズボン７の上端部７ａから離脱してズボン７の上端部７ａより上方に移動するので、ユーザーは容易に携帯電話１を手に取ることができる。
【００２７】
また、以上の図４及び図５では、ユーザーがズボン（半パンを含む）を着用している場合について説明したが、本発明では、ユーザーがスカートを着用している場合でも同様に適用可能である。また、抜け防止具３は、一つのストラップに複数個備えるようにしてもよい。
【００２８】
【発明の効果】
以上に説明したように、本発明の携帯電話用ストラップを使用するときは、抜け防止具を、ベルトとズボン又はスカートとの隙間の上部から下部に差し込んで、ベルトの下端部より下側に配置するようにしているので、携帯電話の重量やユーザーの激しい動きにより抜け防止具が上方に引っ張られることがあっても、抜け防止具は、ベルトの下端部に引っ掛かって抜けないように保持されるので、携帯電話が落下することが確実に防止される。
【００２９】
また、特に、本発明では、ストラップに備えられた抜け防止具をベルトの身体側の下方に配置するか又はズボン若しくはスカートの上端部（ズボン若しくはスカートの中のそれらがずり落ちないように腰を締め付けている部分）の身体側の下方に配置することだけで、携帯電話を確実に装着できるようにしているので、ユーザーが着用している衣服にポケットが存在していない場合でも、携帯電話を身体に装着することが可能になる。
【００３０】
また、このとき、携帯電話はユーザーの腰の位置に配置されるので、携帯電話の着信のお知らせが音響やメロディではなくバイブレーションによる場合でも、ユーザーはそれを腰の位置で敏感に感じ取ることができる。
【００３１】
さらに、本発明によれば、携帯電話をユーザーの腰の位置に装着するようにしているので、携帯電話からの電磁波も腰の周囲にしか及ばなくなる。よって、本発明によれば、従来のように携帯電話を胸ポケットに入れていたときの不都合、すなわち携帯電話からの電磁波が心臓の近傍で発せられて健康上の問題を生じる恐れがあるという不都合を、回避することができる。
【００３２】
以上のように、本発明によれば、ユーザーが激しい動きをしたときでも携帯電話の落下を確実に防止できるようになる（従来のクリップやフックを備えた携帯電話用ストラップを使用した場合は、ユーザーが激しい動きをしたときは、クリップやフックが外れて携帯電話が落下してしまうという不都合があった）。また、本発明によれば、ユーザーの腰の位置に携帯電話を落下しないように配置することができるので、従来のように携帯電話を衣服のポケット（胸ポケットや横腹の位置のポケットなど）に入れていたときにユーザーが感じていた携帯電話の存在による異物感や重量感によるイライラを、解消することができる（一般に、携帯電話などの物を身体の腰の位置に装着した場合は、身体の他の部分に配置した場合と比較して、ユーザーは気にならないことが多い）。また、本発明によれば、ユーザーの腰の位置に携帯電話を落下しないように配置することができるので、着信時の振動も身近で敏感に感じ取ることができ、安心した行動ができる。
【図面の簡単な説明】
【図１】本発明の実施形態による携帯電話用ストラップを携帯電話に取り付けるときの状態を示す図。
【図２】本実施形態による携帯電話用ストラップを携帯電話に取り付けた状態を示す側面図。
【図３】本実施形態による携帯電話用ストラップを携帯電話に取り付けた状態を示す背面図。
【図４】本実施形態による携帯電話用ストラップの使用方法を示す図。
【図５】本実施形態による携帯電話用ストラップの他の使用方法を示す図。
【符号の説明】
１          携帯電話
２          紐
３          抜け防止具
４，５，６        飾り
７          ズボン
７ａ      上端部
８          ベルト
８ａ      下端部
【図１】
2004350898.tif 000003
【図２】
2004350898.tif 000004
【図３】
2004350898.tif 000005
【図４】
2004350898.tif 000006
【図５】
2004350898.tif 000007
【手続補正書】
【提出日】平成15年6月3日(2003.6.3)
【手続補正１】
【補正対象書類名】図面
【補正対象項目名】全図
【補正方法】変更
【補正の内容】
【図１】
2004350898.tif 000008
【図２】
2004350898.tif 000009
【図３】
2004350898.tif 000010
【図４】
2004350898.tif 000011
【図５】
2004350898.tif 000012